(57)【特許請求の範囲】
【請求項１】
受付けた貨幣を繰出す繰出し部と、同繰出し部から繰出された貨幣を搬送する入金搬送部と、同入金搬送部が搬送した貨幣を判別する判別部と、同判別部が入金取引可能と判別した貨幣を金種別に一時保留する金種別一時保留部とを備え、取消し指令があった場合に金種別一時保留部からの返却処理を行う貨幣処理装置であって、
上記繰出し部・入金搬送部・判別部を構成単位とするユニットを設け、
上記金種別一時保留部を取外した空間位置に、上記ユニットを取付け許容して設けたことを特徴とする
貨幣処理装置。
【請求項２】
受付けた貨幣を繰出す繰出し部と、同繰出し部から繰出された貨幣を搬送する入金搬送部と、同入金搬送部が搬送した貨幣を判別する判別部とを備えた貨幣処理装置であって、
上記判別部が入金取引可能と判別した貨幣を金種別に一時保留する金種別一時保留部と、
上記判別部が入金取引可能と判別した貨幣を一括して一時保留する一括一時保留部とを交換可能に設け、
取消し指令があった場合に、上記金種別一時保留部または一括一時保留部からの返却処理を行う
貨幣処理装置。
【発明の詳細な説明】
【０００１】
【発明の属する技術分野】
この発明は、例えば金融機関、駅務、コンビニエンスストア等に設置されるような貨幣処理装置に関し、さらに詳しくは入金された貨幣を処理する内部の貨幣処理構造を目的の用途に切換え可能な性能を有する貨幣処理装置に関する。
【０００２】
【従来の技術】
一般に、この種の貨幣処理装置は、
（１）金融機関や駅務の係員窓口内等に設置して、顧客の現金を受付けた係員が入金操作用に扱う係員専用の貨幣処理装置（テラーマシン）。
【０００３】
（２）会社内や店舗内の従業員のみの特定者の利用を受付けて処理する従業員専用の貨幣処理装置。
【０００４】
（３）自動預金支払機（ＡＴＭ）、自動券売機、自動販売機のように不特定多数の利用者が使用する機器に内部構成される貨幣処理装置。
【０００５】
が知られている。
【０００６】
しかし、このような各種の貨幣処理装置は、その種類別に定められた様々な外形寸法を有して、この貨幣処理装置の大きさが異なり、また性能、機能、操作性、コスト等の仕様が異なるため、１台の貨幣処理装置を製作するのに特定の処理性能を有する専用の内部構造を要して１台当りの製作能率が悪くなり、製作に時間がかかり、また装置毎に個々に開発するための開発費や投資設備が増大して、製品価格が高くなる問題を有していた。
【０００７】
【発明が解決しようとする課題】
そこでこの発明は、入金貨幣を扱う処理装置に内蔵される内部構造を共通して交換可能にユニット化して設け、このユニット化して扱うことにより製作能率を高め、しかも用途別の要請種類に容易に切換えることができる貨幣処理装置の提供を目的とする。
【０００８】
【課題を解決するための手段】
請求項１記載の発明は、受付けた貨幣を繰出す繰出し部と、同繰出し部から繰出された貨幣を搬送する入金搬送部と、同入金搬送部が搬送した貨幣を判別する判別部と、同判別部が入金取引可能と判別した貨幣を金種別に一時保留する金種別一時保留部とを備え、取消し指令があった場合に金種別一時保留部からの返却処理を行う貨幣処理装置であって、上記繰出し部・入金搬送部・判別部を構成単位とするユニットを設け、上記金種別一時保留部を取外した空間位置に、上記ユニットを取付け許容して設けたことを特徴とする。
【０００９】
請求項２記載の発明は、受付けた貨幣を繰出す繰出し部と、同繰出し部から繰出された貨幣を搬送する入金搬送部と、同入金搬送部が搬送した貨幣を判別する判別部とを備えた貨幣処理装置であって、上記判別部が入金取引可能と判別した貨幣を金種別に一時保留する金種別一時保留部と、上記判別部が入金取引可能と判別した貨幣を一括して一時保留する一括一時保留部とを交換可能に設け、取消し指令があった場合に、上記金種別一時保留部または一括一時保留部からの返却処理を行うことを特徴とする。
【００１０】
【発明の作用及び効果】
この発明によれば、繰出し部・入金搬送部・判別部を構成単位とするユニットを設け、金種別一時保留部を取外した空間位置に、新たにユニットを取付け許容して設けたことにより、その金種別一時保留部の位置を他のユニットの配設位置に有効利用できるため、内部スペースを有効利用して装置の小型化を促進することができる。
【００１１】
また、貨幣を金種別一時保留部に金種別に一時保留し、同じく貨幣を一括一時保留部に一括して一時保留し、双方の一時保留部を交換可能に設け、取消し指令があった場合に金種別一時保留部または一括一時保留部からの貨幣の返却処理を行うようにすれば、ユニット化された一時保留部に貨幣の返却処理機能を一体化して持たせることができるため、返却搬送路を省略した処理構造が得られる。
【００１２】
【実施例】
この発明の一実施例を以下図面に基づいて詳述する。
図１〜図３は利用者を係員に限定した利用者特定タイプの係員専用硬貨処理装置１１を示し、この係員専用硬貨処理装置１１は装置本体１２の上部に入金口１３と出金口１４を有し、入金口１３と接続する下方に判別部１５を備えた入金搬送ユニット１６と、金種別一時保留ユニット１７と、金種別スタッカ１８と、回収カセット１９とを配設し、出金口１４と連通する内方には出金用の垂直搬送路２０と、水平搬送路２１を接続して入出金取引許容している。
【００１３】
この係員専用硬貨処理装置１１の入金取引に伴って入金口１３に硬貨が投入されると、投入された硬貨は入金搬送ユニット１６内の判別部１５に導かれて真偽、金種が判別された後、その下方の金種別一時保留ユニット１７に一時保留される。この一時保留硬貨の入金が確定すると、金種別一時保留ユニット１７から下方の収納シュータ２２を介して金種別スタッカ１８に金種別に振分けられて収納される。
【００１４】
一方、入金取消しされた場合は、一時保留状態の硬貨を下方の返却搬送ユニット２３に落下させた後、さらに下方の返却シュータ２４を介して下部の垂直搬送路２０に導き、この垂直搬送路２０から上方の出金口１４へと返却処理する。
【００１５】
また、判別部１５で判別不良と判定されたリジェクト硬貨が発生した場合は、下方のリジェクト通路２５を介して水平搬送路２１へと導き、これより下部の回収カセット１９に回収処理する。また、金種別スタッカ１８に入りきらない溢れ硬貨も回収カセット１９に収納する。
【００１６】
これに対し、出金取引時には金種別スタッカ１８から指定された硬貨を金種別に水平搬送路２１上へ落下させ、この水平搬送路２１から垂直搬送路２０を介して上部の出金口１４へと搬送して出金処理する。
【００１７】
図中、Ｍ1 はフィーダ駆動モータ、Ｍ2 は返却駆動モータ、Ｍ3 は出金駆動モータ、Ｆは通路切換えフラッパ、２６は制御部、２７はレールである。
【００１８】
このように構成された係員専用硬貨処理装置１１は、小型で硬貨の判別ができる小さな判別部１５を適用でき、この判別部１５を入金搬送ユニット１６に一体に搭載することにより、奥行きの短い小型化を図った硬貨処理装置を実現している。
【００１９】
さらに、この係員専用硬貨処理装置１１は、内部の入金搬送ユニット１６と金種別一時保留ユニット１７との両ユニット１６，１７を装置本体１２に着脱許容して設けており、これらのユニット１６，１７を他機種用のユニットと交換及び配置変換することにより、他の機種に変更する変更機能を有している。
【００２０】
この変更機能は各ユニット１６，１７を各々独立して取扱い、これらのユニット１６，１７を各種の硬貨処理装置に共通して着脱利用する共用化を図ることによって、各ユニット１６，１７を組合せるだけで、他機種の硬貨処理装置を製作することができる。
【００２１】
したがって、装置全体が大きさの異なる様々な外形寸法を有していても、また性能、機能、操作性、コスト等の仕様が異なっていても、各ユニットを交換あるいはユニットの配置換えによって、目的機種の硬貨処理装置に切換えることができる。
【００２２】
また、この場合は他種類の機種があってもユニット毎に共通部品として取扱えるため、ユニット単位の着脱利用によって硬貨処理装置の製作時間の短縮が図れ、また製作能率が向上する。さらに、ユニットの組合せ変換が図れるため、機種毎に個々に開発するための開発費や投資設備を削減でき、各機種の低コスト化を図ることができる。
【００２３】
次に、係員専用硬貨処理装置１１から図４〜図６に示すように、ＡＴＭや自動販売機に内蔵される利用者不特定タイプの共用硬貨処理装置４１に切換えた場合について説明する。
【００２４】
この機種の切換えに時には、先ず、図１〜図３に示した係員専用硬貨処理装置１１の金種別一時保留ユニット１７と返却搬送ユニット２３とを取外し、続いて入金搬送ユニット１６を、取外された金種別一時保留ユニット１７の空間位置まで下げて配置変更し、最後に入金搬送ユニット１６が取外された空間位置に共用ユニット４２を装着するだけで、係員専用硬貨処理装置１１から共用硬貨処理装置４１に切換えることができる。
【００２５】
ここに取付けられる共用ユニット４２は横長の水平方向に配設され、その一側に入金口１３と出金口１４にそれぞれ接続対応する各接続開口部１３ａ，１４ａを有し、その内方に繰出し部４３と、硬貨識別部４４と、横搬送路４５と、一括一時保留部４６とを備えている。
【００２６】
この場合、不特定多数の利用者が使用することから硬貨識別部４４は外国硬貨や変造硬貨を排除可能に識別する高精度の識別機能を有し、この高精度の硬貨識別部４４を追加できる構成にすることにより、専用機と共用機とを同時に開発することができる。
【００２７】
さらに、金種別一時保留部１７を取外して、その空間位置に入金搬送ユニット１６を下げて配置換えして内部スペースを有効利用できるため、装置の小型化を促進することができる。
【００２８】
また、上部位置の共用ユニット４２に組込まれた一括一時保留部４６から同ユニット４２内の横搬送路４５を介して出金口１４へと直ちに一括返却する硬貨の一括返却処理機能を共用ユニット４２に持たせてあるため、装置下部から上部の出金口１４までの長い返却搬送工程を省略した処理構造が得られる。
【００２９】
このように切換えられた共用硬貨処理装置４１の処理動作について説明すると、入金口１３に投入された硬貨は共用ユニット４２の硬貨識別部４４に導かれて、真偽、金種、枚数等が高精度に識別された後、その後段の一括一時保留部４６に一時保留される。この一時保留硬貨の入金が確定すると、その硬貨を一括一時保留部４６から横方向に位置する横搬送路４５を介して下方の入金搬送ユニット１６へと導き、これより収納シュータ２２を介して下方の金種別スタッカ１８へと収納する。
【００３０】
このとき、入金取消しされた場合、あるいは識別不良と判定されたリジェクト硬貨が発生した場合は、一括一時保留部４６に一時保留された硬貨を横搬送路４５上に放出し、これより一括して出金口１４へと返却処理する。
【００３１】
また、入金確定後に判別部１５でリジェクト硬貨を検知した場合は、そのリジェクト硬貨を水平搬送路２１上に落下させて、その一側反転部より下部の回収カセット１９に落下回収させる。
【００３２】
これに対し、出金取引時には金種別スタッカ１８から指定された硬貨を金種別に水平搬送路２１上に落下させ、この水平搬送路２１から垂直搬送路２０を介して上部の出金口へと搬送して出金処理する。
【００３３】
図７は係員専用硬貨処理装置１１の制御回路ブロック図を示し、ＣＰＵ７１はＲＯＭ７２に格納されたプログラムに沿って各回路装置を制御し、その制御データをＲＡＭ７３で読出し可能に記憶する。
【００３４】
ＣＰＵ７１はインターフェース７４を介して利用者特定タイプのユニットＵ1 と、利用者不特定タイプの拡張ユニットＵ2 とのデータを送受信許容して設け、拡張ユニットＵ2 を有無判定する際は、コネクタに判定用の端子Ｃ1 を設けて、この端子Ｃ1 をインターフェース７４側で“Ｈ”レベルに設定し、拡張ユニットＵ2 のコネクタをグラウンドに落としておくことにより、この端子Ｃ1 の出力が“Ｈ”か“Ｌ”を判定することによって、コネクタの接続のみで判定が可能となる。
【００３５】
図８は機種のタイプに応じた判定処理動作のフローチャートを示し、ＣＰＵ７１は前述の判定用端子Ｃ1 の入力ポートのレベルが“Ｈ”か“Ｌ”かを判定し、“Ｌ”が判定され場合は、そのタイプの機種に必要な拡張ユニットＵ2 を要請指示して共用硬貨処理装置４１への変更処理を実行させる（ステップｎ1 〜ｎ2 ）。
【００３６】
これに対し、“Ｈ”が判定された場合は、そのタイプの専用機種のユニットＵ1 を指定して組合せる。これにより、所望の利用者特定タイプの専用機種が得られる（ステップｎ3 ）。
【００３７】
また、既述した係員専用硬貨処理装置１１や共用硬貨処理装置４１以外に他の様々な機種に適用することができる。例えば、図９〜図１１はＡＴＭや自動販売機に内蔵される他機種の利用者不特定タイプの大型共用硬貨処理装置９１の一例を示し、この場合も係員専用硬貨処理装置１１から切換える際は、係員専用硬貨処理装置１１の金種別一時保留ユニット１７と返却搬送ユニット２３とを取外し、続いて入金搬送ユニット１６を、取外された金種別一時保留ユニット１７の空間位置まで下げて配置変更し、最後に入金搬送ユニット１６が取外された空間位置に大型共用ユニット９２を装着するだけで、係員専用硬貨処理装置１１から大型共用硬貨処理装置９１に切換えることができる。
【００３８】
この大型共用ユニット９２は、入出金口９３に接続対応する繰出し部９４と、硬貨識別部９５と、振分け搬送路９６と、横搬送路９７とを備えており、この場合も硬貨識別部９５は不特定多数の利用者が使用することから外国硬貨や変造硬貨を排除可能に識別する高精度の識別機能を有し、この高精度の硬貨識別部９５を追加できる構成にして、専用機と共用機とを同時に開発可能に設けている。
【００３９】
この場合も、金種別一時保留部１７を取外して、その空間位置に入金搬送ユニット１６を下げて配置換えして内部スペースを有効利用できるため、装置の小型化を促進することができる。
【００４０】
また、上部位置の大型共用ユニット９２に組込まれた振分け搬送路９６から同ユニット９２内の横搬送路９７を介して入出金口９３へと直ちに返却する硬貨の返却処理機能を大型共用ユニット９２に持たせてあるため、装置下部から上部の入出金口９３までの長い返却搬送工程を省略した処理構造が得られる。
【００４１】
また、既述した共用硬貨処理装置４１から大型共用硬貨処理装置９１に切換える際は、共用ユニット４２と大型共用ユニット９２を交換するだけで、共用硬貨処理装置４１から大型共用硬貨処理装置９１に切換えることができる。
【００４２】
上述のように、硬貨処理装置に内部構成される入金搬送ユニット・一時保留ユニット等の各ユニットを組合せ許容して設けてあるため、各ユニットを組合せるだけで目的の製作すべき機種の硬貨処理装置を構成することができる。特に、内部構成される各ユニットは各々独立して取扱えるため、各機種の硬貨処理装置に共通して着脱利用する共用化を図ることによって、機種別の硬貨処理装置を容易に製作することができる。したがって、装置全体の大きさの異なる様々な外形寸法を有していても、また性能、機能、操作性、コスト等の仕様が異なっていても、各ユニットの交換あるいはユニットの配置換えによって目的機種の硬貨処理装置に切換えることができる。また、他種類の機種があってもユニット毎に共通部品として取扱えるため、ユニット単位の製作によって硬貨処理装置の製作時間を短縮でき、製作能率が向上する。また、ユニットの交換利用が図れるため、機種毎に個々に開発するための開発費や投資設備を削減でき、各種装置の低コスト化を図ることができる。
【００４３】
この発明と、上述の一実施例の構成との対応において、
この発明の貨幣処理装置は、実施例の係員専用硬貨処理装置１１と、共用硬貨処理装置４１と、大型共用硬貨処理装置９１に対応し、
以下同様に、
貨幣は、硬貨に対応し、
入金搬送部は、入金搬送ユニット１６、共用ユニット４２、大型共用ユニット９２に対応し、
金種別一時保留部は、金種別一時保留ユニット１７に対応するも、
この発明は、請求項に示される技術思想に基づいて応用することができ、上述の一実施例の構成のみに限定されるものではない。
【図面の簡単な説明】
【図１】  この発明の係員専用硬貨処理装置の内部構造を示す概略側面図。
【図２】  この発明の係員専用硬貨処理装置の内部構造を示す要部正面図。
【図３】  この発明の係員専用硬貨処理装置の内部構造を示す要部背面図。
【図４】  この発明の共用硬貨処理装置の内部構造を示す概略側面図。
【図５】  この発明の共用硬貨処理装置の内部構造を示す要部正面図。
【図６】  この発明の共用硬貨処理装置の内部構造を示す要部背面図。
【図７】  この発明のユニット有無判定部の制御回路ブロック図。
【図８】  この発明の機種に対応する判定処理動作を示すフローチャート。
【図９】  この発明の大型共用硬貨処理装置の内部構造を示す概略側面図。
【図１０】  この発明の大型共用硬貨処理装置の内部構造を示す要部正面図。
【図１１】  この発明の大型共用硬貨処理装置の内部構造を示す要部背面図。
【符号の説明】
１１…係員専用硬貨処理装置
１３…入金口
１４…出金口
１６…入金搬送ユニット
１７…金種別一時保留ユニット
２３…返却搬送ユニット
４１…共用硬貨処理装置
４２…共用ユニット
４３，９４…繰出し部
４４，９５…硬貨識別部
４５，９７…横搬送路
４６…一括一時保留部
７１…ＣＰＵ
Ｕ１…利用者特定タイプのユニット
Ｕ２…利用者不特定タイプの拡張ユニット
９１…大型共用硬貨処理装置
９２…大型共用ユニット
９３…入出金口
９６…振分け搬送路
【図１】
0003859389.tif 000002
【図２】
0003859389.tif 000003
【図３】
0003859389.tif 000004
【図４】
0003859389.tif 000005
【図５】
0003859389.tif 000006
【図６】
0003859389.tif 000007
【図７】
0003859389.tif 000008
【図８】
0003859389.tif 000009
【図９】
0003859389.tif 000010
【図１０】
0003859389.tif 000011
【図１１】
0003859389.tif 000012